(57)【要約】【課題】トナー像を像担持体から紙などの多種多様な転写材へ転写する際に生じる転写チリや転写不良による画質の劣化を抑制することができる画像形成装置を提供すること。【解決手段】トナー像を像担持体上に形成し、そのトナー像を像担持体と転写材担持体で挟持搬送する転写材に転写させるものであって、像担持体と転写材担持体は転写材を挟んで接触する接触部で、その両者の表面が同じ向きに移動するように駆動される画像形成装置において、接触部よりも転写材の移動方向上流側の像担持体１１表面と転写材１５表面との間にはトナー像を像担持体１１側へ移動させる方向の電界を形成し、接触部よりも下流側の像担持体表面と転写材表面との間ではトナー像を転写材１５側へ移動させる方向の電界を形成することを特徴とする。【選択図】　　　図１
2004062050.tif 000002
【特許請求の範囲】
【請求項１】
トナー像を像担持体上に形成し、そのトナー像を前記像担持体と転写材担持体で挟持搬送する転写材に転写させるものであって、前記像担持体と転写材担持体は転写材を挟んで接触する接触部で、その両者の表面が同じ向きに移動するように駆動される画像形成装置において、
前記接触部よりも転写材の移動方向上流側の像担持体表面と転写材表面との間にはトナー像を像担持体側へ移動させる方向の電界を形成し、前記接触部よりも下流側の像担持体表面と転写材表面との間ではトナー像を転写材側へ移動させる方向の電界を形成することを特徴とする画像形成装置。
【請求項２】
前記接触部よりも上流側の転写材担持体部分の裏面に前記トナーの帯電極性と同極性の電圧を印加する第１の電圧印加手段と、前記接触部ないしは前記接触部よりも転写材移動方向下流側の転写材担持体部分の裏面に前記トナーの帯電極性と逆極性の電圧を印可する第２の電圧印加手段と、を備えている請求項１記載の画像形成装置。
【請求項３】
前記転写材担持体が複数のローラで懸架されたベルトからなり、前記第１の電圧印加手段および第２の電圧印加手段がローラからなっている請求項２記載の画像形成装置。
【請求項４】
前記転写材担持体が複数のローラで懸架されたベルトからなり、前記第１の電圧印加手段および第２の電圧印加手段がブラシからなっている請求項２記載の画像形成装置。
【請求項５】
前記転写材担持体が複数のローラで懸架されたベルトからなり、前記第１の電圧印加手段および第２の電圧印加手段がブレードからなっている請求項２記載の画像形成装置。
【請求項６】
前記転写材担持体が複数のローラで懸架されたベルトからなり、前記第１の電圧印加手段および第２の電圧印加手段がローラ、ブラシおよびブレードのうち、いずれか２つの組合せにより構成されている請求項２記載の画像形成装置。
【請求項７】
前記接触部よりも像担持体表面の移動方向上流側において、像担持体表面と転写材表面の間に非接触の電圧印加部材を備え、前記トナーの帯電極性と同極性の電圧を印加する請求項１記載の画像形成装置。
【請求項８】
前記像担持体と転写材担持体に挟持搬送される転写材が像担持体と転写材の接触部よりも上流側にて転写材表面に前記トナーと同極性の電荷が付与されている請求項１記載の画像形成装置。
【請求項９】
前記転写材に電荷を付与する手段がローラで構成されている請求項８記載の画像形成装置。
【請求項１０】
前記転写材に電荷を付与する手段がブラシで構成されている請求項８記載の画像形成装置。
【請求項１１】
前記転写材に電荷を付与する手段がブレードで構成されている請求項８記載の画像形成装置。
【請求項１２】
前記転写材に電荷を付与する手段がコロナ放電器で構成されている請求項８記載の画像形成装置。
【請求項１３】
前記転写材に電荷を付与する手段が転写材を前記接触部へ搬送するレジストローラを兼ねている請求項８記載の画像形成装置。
【請求項１４】
前記像担持体としてトナー像が順次転写されて合成像が形成される中間転写体を備えている請求項１記載の画像形成装置。
【請求項１５】
前記中間転写体と転写材担持体との接触部よりも中間転写体表面の移動方向上流側の中間転写体部分の裏面に前記トナーの帯電極性と逆極性の電圧を印加する第１の電圧印加手段と、前記接触部ないしは前記接触部よりも中間転写体表面の移動方向下流側の中間転写体部分の裏面に前記トナーの帯電極性と同極性の電圧を印加する第２の電圧印加手段と、を備えている請求項１４記載の画像形成装置。
【請求項１６】
前記中間転写体が複数のローラで懸架された中間転写ベルトからなり、前記第１の電圧印加手段および第２の電圧印加手段が中間転写ベルトを懸架するローラで構成されている請求項１５記載の画像形成装置。
【請求項１７】
前記中間転写体が複数のローラで懸架された中間転写ベルトからなり、前記第１の電圧印加手段および第２の電圧印加手段がブラシで構成されている請求項１５記載の画像形成装置。
【請求項１８】
前記中間転写体が複数のローラで懸架された中間転写ベルトからなり、前記第１の電圧印加手段および第２の電圧印加手段がブレードで構成されている請求項１５記載の画像形成装置。
【請求項１９】
前記中間転写体が複数のローラで懸架された中間転写ベルトからなり、前記第１の電圧印加手段および第２の電圧印加手段がローラ、ブラシおよびブレードのうち、いずれか２つの組合せで構成されている請求項１５記載の画像形成装置。
【発明の詳細な説明】
【０００１】
【発明の属する技術分野】
この発明は、電子写真プロセスを用いた画像形成装置、詳しくは感光体および中間転写体などの像担持体から転写材へトナーを転写する場合に転写チリや転写不良など画質劣化を効果的に抑制することが可能な画像形成装置に関するものである。
【０００２】
【従来の技術】
プリンタなどに代表される画像形成装置としては、種々の方式が実用化されている。感光体上に潜像を形成後に、該潜像をトナーにより顕像化して形成されたトナー像を転写材上に転写する直接転写方式や、複数色のトナー像を中間転写体上で色重ねした後に、中間転写体から転写材上に一括転写する方式（中間転写方式）がある。
【０００３】
感光体や中間転写体から転写材へ転写される際の代表的な画像劣化として転写チリがある。転写チリとは、トナー像が転写される際に、本来転写されるべき位置に転写されず、その周辺に拡散して転写されてしまい、結果として画像がぼけてしまう現象であり、特に細線部分での画像のシャープさを損なわせるものである。転写チリの発生原因は、転写ニップ入り口での電界の作用で感光体および中間転写体上のトナーが紙上にプレ転写することによって生じる。加えて、例えば転写ニップ入り口で放電が生じた場合には，放電の影響を受けたトナーの帯電量（Ｑ／Ｍ）が低下し、静電付着力が小さくなってしまうことで、トナー同士のクーロン反発力に打ち勝てなくなって転写チリ発生を更に増加させてしまう結果となる。この転写チリを抑制するために、これまで多くの発明がなされている。
【０００４】
特開平９−２３６９９２では、紙へ転写する場合に、転写領域よりも上流側で感光体に紙を密着（プレ接触）させることにより、転写されるトナーは転写ニップ部入り口の放電の影響を受けず画像は乱れないとしている。しかしながら、常に安定した状態で紙をプレ接触させることは非常に難しい。紙のこし等は環境条件や紙種によってさまざまであり、逆に紙の侵入時に画像を擦ってしまうことも十分考えられる。
【０００５】
感光体から中間転写体への１次転写に関しては、特開平８−３０１１９において、ニップ上流側にはトナーと同極性のバイアスを印加し、ニップ下流側ではトナーと逆極性のバイアスを印加することでチリ発生を抑制できるとしている。しかしながら、２次転写特有の問題として、転写材である紙の環境変動への対応性については考慮されておらず、そのまま２次転写へ適用するには不十分である。
【０００６】
【発明が解決しようとする課題】
そこでこの発明は、前記のような従来のものが有する問題点を解決し、トナー像を像担持体から紙などの多種多様な転写材へ転写する際に生じる転写チリや転写不良による画質の劣化を抑制することができる画像形成装置を提供することを目的とする。
【０００７】
【課題を解決するための手段】
前記目的を達成するために、請求項１に記載の発明は、トナー像を像担持体上に形成し、そのトナー像を像担持体と転写材担持体で挟持搬送する転写材に転写させるものであって、像担持体と転写材担持体は転写材を挟んで接触する接触部で、その両者の表面が同じ向きに移動するように駆動される画像形成装置において、接触部よりも転写材の移動方向上流側の像担持体表面と転写材表面との間にはトナー像を像担持体側へ移動させる方向の電界を形成し、接触部よりも下流側の像担持体表面と転写材表面との間ではトナー像を転写材側へ移動させる方向の電界を形成することを特徴とする。
【０００８】
請求項２に記載の発明は、請求項１において、接触部よりも上流側の転写材担持体部分の裏面にトナーの帯電極性と同極性の電圧を印加する第１の電圧印加手段と、接触部ないしは接触部よりも転写材移動方向下流側の転写材担持体部分の裏面にトナーの帯電極性と逆極性の電圧を印可する第２の電圧印加手段と、を備えている。
【０００９】
請求項３に記載の発明は、請求項２において、転写材担持体が複数のローラで懸架されたベルトからなり、第１の電圧印加手段および第２の電圧印加手段がローラからなっている。請求項４に記載の発明は、請求項２において、転写材担持体が複数のローラで懸架されたベルトからなり、第１の電圧印加手段および第２の電圧印加手段がブラシからなっている。請求項５に記載の発明は、請求項２において、転写材担持体が複数のローラで懸架されたベルトからなり、第１の電圧印加手段および第２の電圧印加手段がブレードからなっている。請求項６に記載の発明は、請求項２において、転写材担持体が複数のローラで懸架されたベルトからなり、第１の電圧印加手段および第２の電圧印加手段がローラ、ブラシおよびブレードのうち、いずれか２つの組合せにより構成されている。
【００１０】
請求項７に記載の発明は、請求項１において、接触部よりも像担持体表面の移動方向上流側において、像担持体表面と転写材表面の間に非接触の電圧印加部材を備え、トナーの帯電極性と同極性の電圧を印加する。
【００１１】
請求項８に記載の発明は、請求項１において、像担持体と転写材担持体に挟持搬送される転写材が像担持体と転写材の接触部よりも上流側にて転写材表面にトナーと同極性の電荷が付与されている。
【００１２】
請求項９に記載の発明は、請求項８において、転写材に電荷を付与する手段がローラで構成されている。請求項１０に記載の発明は、請求項８において、転写材に電荷を付与する手段がブラシで構成されている。請求項１１に記載の発明は、請求項８において、転写材に電荷を付与する手段がブレードで構成されている。請求項１２に記載の発明は、請求項８において、転写材に電荷を付与する手段がコロナ放電器で構成されている。請求項１３に記載の発明は、請求項８において、転写材に電荷を付与する手段が転写材を接触部へ搬送するレジストローラを兼ねている。
【００１３】
請求項１４に記載の発明は、請求項１において、像担持体としてトナー像が順次転写されて合成像が形成される中間転写体を備えている。
【００１４】
請求項１５に記載の発明は、請求項１４において、中間転写体と転写材担持体との接触部よりも中間転写体表面の移動方向上流側の中間転写体部分の裏面にトナーの帯電極性と逆極性の電圧を印加する第１の電圧印加手段と、接触部ないしは接触部よりも中間転写体表面の移動方向下流側の中間転写体部分の裏面にトナーの帯電極性と同極性の電圧を印加する第２の電圧印加手段と、を備えている。
【００１５】
請求項１６に記載の発明は、請求項１５において、中間転写体が複数のローラで懸架された中間転写ベルトからなり、第１の電圧印加手段および第２の電圧印加手段が中間転写ベルトを懸架するローラで構成されている。請求項１７に記載の発明は、請求項１５において、中間転写体が複数のローラで懸架された中間転写ベルトからなり、第１の電圧印加手段および第２の電圧印加手段がブラシで構成されている。請求項１８に記載の発明は、請求項１５において、中間転写体が複数のローラで懸架された中間転写ベルトからなり、第１の電圧印加手段および第２の電圧印加手段がブレードで構成されている。請求項１９に記載の発明は、請求項１５において、中間転写体が複数のローラで懸架された中間転写ベルトからなり、第１の電圧印加手段および第２の電圧印加手段がローラ、ブラシおよびブレードのうち、いずれか２つの組合せで構成されている。
【００１６】
【発明の実施の形態】
この発明の一実施の形態を、添付図面を参照して説明する。図１に示したのは中間転写体を備えるカラー画像形成装置の一例である。１は感光体（感光体ドラム）であり、左から順に感光体１ａ，１ｂ，１ｃ，１ｄとする。感光体の周りに配置された作像部分は感光体１ａ〜１ｄについて全て同じ構成であるため、感光体１ａについてのみ説明する。２は現像装置、３はクリーニング装置、４は帯電装置、５は書き込み装置である。感光体１ａ上に形成されたトナー像は中間転写ベルト６に転写され、該中間転写ベルト上ではさらに感光体１ｂ，１ｃ，１ｄからトナー像が転写されてフルカラー画像が形成される。このフルカラー画像は転写部７にて転写材に転写され、転写材は定着部８で加熱定着される。
【００１７】
本例の各プロセスの方式および条件について詳説すると、各感光体ドラムとも非接触ローラ帯電方式で非画像部において−７００Ｖ程度に帯電される。ＬＤにて露光された後、現像装置にて各色とも現像される。本発明はトナーや現像方式を制限するものではない。例えば一成分磁性トナーであれば、トナー同士の摩擦帯電によりトナーを帯電させてマグローラとスリーブの回転で現像領域へと搬送するＢＭＴ（Ｂｉｐｏｌａｒ　Ｍａｇｎｅｔｉｃ　Ｔｏｎｅｒ）方式や、現像スリーブ上に薄層のトナー層を形成し、これを感光体に近接させて交流バイアスによってトナーを飛翔させて現像するジャンピング方式などが適用される。非磁性トナーに関しては、導電性あるいは表面絶縁現像ローラにトナーを付着して現像領域へとトナーを運ぶＮＳＰ（Ｎｏｎ−Ｍａｇｎｅｔｉｃ　Ｓｉｎｇｌｅ−Ｃｏｍｐｏｎｅｎｔ　Ｄｅｖｅｌｏｐｍｅｎｔ　Ｐｒｏｃｅｓｓ）方式や、非磁性トナージャンピング方式、二成分トナーであれば、磁気ブラシ現像法などが適用される。
【００１８】
これらの現像方式によって現像された感光体上トナー像は中間転写ベルトへ転写されるわけだが、今回の実験では中間転写ベルトはポリフッ化ビニルデン樹脂フィルムシートで成型されたシームレスベルト（体積抵抗８Ｅ９Ωｃｍ）を用いて、１次転写バイアスは定電圧制御で１３００Ｖにて行なった。ベルト材料としてはポリエチレンテレフタレート樹脂フィルムシート（ＰＥＴシート）やポリウレタン樹脂フィルムシートなどの誘電体樹脂製のフィルムが広く用いられている。またベルトの材質やその抵抗値によって適正な印加バイアス値も異なってくるのはもちろんである。この感光体から中間転写ベルトへの１次転写プロセスは、Ｙ，Ｍ，Ｃ，Ｋの各色それぞれについて行なわれ、中間転写ベルト上で色重ね画像が形成され、転写部にて紙上に転写される。図１では中間転写体として搬送ベルトを兼ねた中間転写ベルトが例示してあるが、ベルトの代わりにローラあるいはコロナチャージャを用いても２次転写することは可能である。
【００１９】
図１の構成では転写材である紙の転写部への侵入時の放電あるいはプレ転写を免れることはできない。そこで、紙への転写時の転写チリを抑制するために本発明を適用した転写部の概略図を図２に示す。像担持体（感光体あるいは中間転写体）１１に対向接触する形で転写ベルト１２を設置し、該転写ベルトを第１のバイアスローラ１３および第２のバイアスローラ１４にて懸架している。負帯電トナーを用いた場合を例に説明すると、紙転写ニップ上流側に位置する第１のバイアスローラ１３にはトナーと同極性、すなわち負極性のバイアスが印加されている。これにより、ニップ上流側における転写材１５である紙と像担持体表面との間にはトナーを像担持体１１側へ押しつける電界が形成され、トナーの紙へのプレ転写を抑制することができる。そして、ニップ下流側に位置する第２のバイアスローラ１４にトナーと逆極性、すなわち正極性のバイアスを印加することで像担持体表面と紙表面との間にはトナーを紙側へ押しつける電界が形成され、トナーは紙へ転写される。
【００２０】
図３には紙の表面電位と像担持体として中間転写体を用いた場合の表面電位の推移を模式的に示している。転写材の表面電位がマイナスで有る領域、すなわちニップ入り口よりも上流側ではトナーは像担持体側に押しつけられ、プラスとなる領域、ニップ入り口よりも下流側では紙側へ押しつけられる電界を形成している。図で矢印で示しているのが、負帯電トナーが電界から受ける力の方向である。第１のバイアスローラ１３と第２のバイアスローラ１４に印加するバイアスを制御することで、図３で模式的に示したように、ニップ入り口での電位差を零に近づけ、入り口放電および入り口電界でのプレ転写を抑制することが可能となる。
【００２１】
転写材１５への転写における特有の問題点として、抵抗値に代表される転写材特性値の環境変動がある。例えば高湿化では紙は吸湿して電気抵抗が下がってしまう。その結果、紙を伝って電流が流れてしまい、転写ニップ部で適正な電界が生じないという問題が発生するケースがある。そこで、例えば像担持体２１として中間転写体を備える場合には、図４に示すように中間転写体にトナーと逆極性を印加し、転写ベルト２２を懸架する第１のバイアスローラ２３をトナーと同極性、第２のバイアスローラ２４を接地することでも所望の電界を得られ、紙転写部での電界も転写電流はトナー層を伝わったのちに紙に伝わり、紙を伝って電流が流出してもその影響を受けないため、環境変動を受けにくい構成とすることができる。
【００２２】
図５には像担持体３１として中間転写ベルトを備え、中間転写ベルトの懸架ローラとして第１のバイアスローラ３３および第２のバイアスローラ３４を備える構成を示す。第１のバイアスローラ３３にはトナーと逆極性を印加し、第２のバイアスローラ３４にはトナーと同極性を印加している。バイアス印加手段としては、もちろんブラシやブレードあるいはそれらを組み合わせることも可能である。３５は前記中間転写ベルトと接触して配置された紙転写ローラで、接地されている。
【００２３】
図６にはブレード４３，４４を第１の電圧印加手段および第２の電圧印加手段とした場合の構成例を示している。画像形成装置は省スペースの為に小型化が要求され、ローラを入れるスペースを確保するのが厳しい場合も多い。ブレードなどでバイアスを印加するのはこうした小型化に対して非常に有効な手法である。
【００２４】
図５に示す構成で検討を行なった際に用いた中間転写ベルトは体積抵抗率で８Ｅ９Ωｃｍ程度であったが、このベルトにおいて第１のバイアスローラへ＋１ｋＶ，第２のバイアスローラには−２ｋＶ程度の電圧を印加し、ベルトの表面電位を測定したところ、ニップ部入り口においてほぼベルトの表面電位がゼロとなっていることを確認した。なお本検討では図３に模式図で示した場合とは異なり、中間転写ベルト（像担持体）の表面電位を制御し所望の電界を達成している。そのため、ニップ部でのベルトの表面電位がゼロに近づくような設定としたが、目的は転写材表面と像担持体表面の電位差を無くすことであるので、例えば表面電位の異なる転写材が転写ニップ部へ侵入してくる場合には、その表面電位に合わせて第１および第２のバイアスローラ３３，３４に印加する電圧を決定しなくてはならない。本実験環境では観察されなかったが、低温低湿環境下では紙は摩擦帯電されやすく、紙搬送ローラとの間の摩擦帯電により表面電位が上がってしまうこともある。例えば紙搬送ローラがゴムローラ対である場合には、ゴムは摩擦帯電系列がマイナス側にあるので、ゴムローラ自体は摩擦にて負に、紙表面は正に帯電してしまう。仮に過帯電された状態で紙転写ニップに侵入してくると、第１および第２のバイアスローラ３３，３４で形成した電界の効果も薄くなってしまうので、例えば紙転写ニップに侵入する直前の紙の表面電位を測定してバイアス補正をかけたり、摩擦帯電の生じにくい紙搬送ローラの選択やニップ侵入直前の紙除電などを行なうなどの補助手段が有効となる場合もある。
【００２５】
また、本検討に用いたトナーに関して説明する。トナーは結着樹脂に着色剤、およびその他必要に応じて帯電制御材、離型剤などの他の材料を含有させた母体粒子にさらに添加剤などを外添させてなる。前述したように本発明はトナーに関する制限はないので、トナーに使用される結着樹脂としても従来公知のものが使用できる。例えば、ポリスチレン，スチレン−ブタジエン共重合体，スチレン−塩化ビニル共重合体，スチレン−アクリル酸エステル共重合体，スチレン−メタクリル酸エステル共重合体，アクリル系樹脂，ポリエステル樹脂，エポキシ樹脂，ポリオール樹脂，ロジン変性マレイン酸樹脂，フェノール樹脂，低分子量ポリエチレン，低分子量ポリプロピレン，アイオノマー樹脂，ポリウレタン樹脂，ケトン樹脂，エチレン−エチルアクリレート共重合体，ポリブチラール，シリコーン樹脂等が挙げられ、これらは単独あるいは２種類以上組合わせて用いることができる。着色剤に関しても同様に制限はなく、従来公知の染料および顔料が使用できる。
【００２６】
また、本発明に用いられるトナーには、必要に応じて帯電制御剤、離型剤などの他の材料を添加することができる。帯電制御剤としては、例えばニグロシン染料，含クロム錯体，第４級アンモニウム塩等が挙げられ、これらはトナー粒子の極性により使い分ける。特に、カラートナーの場合、トナーの色調に影響を与えない無色又は淡色のものが好ましく、例えば、サリチル酸金属塩又はサリチル酸誘導体の金属塩等が挙げられる。また、定着部における定着部材からのトナーの離型性を向上させ、またトナーの定着性を向上させるために、離型剤をトナー中に含有させることも可能である。トナーに関しては、その材料のほかに製造方法での区分もある。代表的な製造法として粉砕法、重合法、カプセル法などがあるが、これらの製造方法に関しても本発明は制限するものではない。本検討は主に平均粒径６．８ｕｍの粉砕法で製造されたトナーを用いて行なったのだが、重合法で製造された球形トナーに関しても、外添剤を添加することで凝集度が低下し、チリ発生度合いが悪化してしまったものに関しても、本発明を適用することによってチリ発生度合いが改善されるという結果も得られている。
【００２７】
画質改善効果の確認であるが、線画像のエッジ部からのチリの観察、および鮮鋭性・階調性および粒状性を測定し確認を行なった。エッジ部からのチリは本発明を適用することで大きく改善された。鮮鋭性・階調性および粒状性の測定値は表１に示している。評価したのは図５に示した構成である。なお，鮮鋭性は１〜１２本／ｍｍの空間周波数を持つラインペア画像のＭＴＦを測定することで得られ、階調性はグレースケール画像の入力画像データに対する直線性（直線回帰時の寄与率）を求めている。
【００２８】
【表１】
2004062050.tif 000003
【００２９】
図７には中間転写体３１と転写材が接触するニップよりも上流側に、中間転写体表面と転写材表面との間に位置するように板状のバイアス印加部材４６を設置した例である。この構成とすることにより、紙の表面電位の影響を受けずにトナーを中間転写体側に押しつける電界を形成できる。
【００３０】
また、図８には転写材である紙の表面電位を制御する実施の形態を示す。先に、紙転写ニップ侵入時の紙の表面電位が重要であると記したが、この構成例では、紙転写ローラ５５をバイアス印加手段とし、ニップ部上流側でのトナーを中間転写体５１側へ押しつける電界はニップ侵入前に紙表面をトナーと同極性に帯電することで達成する。帯電手段はローラ、ブラシ、ブレードのいずれも可で、図示のようなコロナチャージャ５３による帯電もできる。また、レジストローラを帯電部材としても利用することで部品点数の削減も可能である。この構成の場合には、紙の環境変動による電気抵抗の変化を受けて表面電位の変動も生じてしまう可能性があるので、例えば給紙バンクで紙を常に調湿しておくなどの補助手段を設けるとより効果的である。
【００３１】
図面に示した各実施の形態は好ましい一例を示したにすぎず、実際の実施に際して請求項に記載した技術的事項の範囲内で種々の設計的な変更や修正ができることは言うまでもない。
【００３２】
【発明の効果】
請求項１の発明は、像担持体上にトナー像を形成し、転写材上へ転写する画像形成装置において、転写材進行方向における転写材への転写ニップ上流側では転写材表面と像担持体表面との間にトナーを像担持体側へ押しつける電界を形成し、転写材への転写ニップ位置およびその下流側では転写材表面と像担持体表面との間にトナーを転写材側に押しつける電界を形成することで、ニップ入り口におけるプレ転写および放電による転写画像の劣化を防ぐことができる。
【００３３】
請求項２の発明は、転写材を像担持体と担持搬送する転写材担持体（転写材への転写部材）の裏面に第１の電圧印加手段と第２の電圧印加手段を備えることで、プレ転写および放電による画像劣化を抑制するための電界をニップ上流側および下流側についてそれぞれ形成することができる。
【００３４】
請求項３の発明は、転写材への転写部材として転写搬送ベルトを用いた構成の場合に、懸架ローラを第１および第２のバイアスローラとすることで部品の共通化による構成の簡略化が可能となる。
【００３５】
請求項４の発明は、バイアス印加部材としてブラシを用いることで均一なニップ圧力が得られ、バイアスのむらを軽減することが可能となる。
【００３６】
請求項５の発明は、バイアス印加部材としてブレードを用いることで簡略な機構でのバイアスの印加および機械の省スペース化が可能になる。
【００３７】
請求項６の発明は、バイアス印加部材としてローラ、ブラシおよびブレードを組み合わせて用いることで機械のレイアウトに自由度が生じる。
【００３８】
請求項７の発明は、ニップ入り口部の像担持体と転写材の間に位置するようにバイアス印加部材を設置することで転写材の帯電状態に関わらず、ニップ上流側に所望の電界を形成することができる。
【００３９】
請求項８の発明は、転写材が転写材への転写ニップ部に侵入する前にあらかじめ転写材表面をトナーと同極性に帯電しておくことでニップ上流側での電界を、トナーを像担持体側に押しつける方向に形成することが可能となり、ニップ入り口でのプレ転写，放電による画像劣化を防ぐことができる。
【００４０】
請求項９の発明は、電荷付与部材としてローラを用いることで紙搬送ローラの機能を持たせることができ、部品の共通化による構成の簡略化が可能となる。
【００４１】
請求項１０の発明は、電荷付与部材としてブラシを用いることで均一なニップ圧力が得られ、バイアスのむらを軽減することが可能となる。
【００４２】
請求項１１の発明は、電荷付与部材としてブレードを用いることで簡略な機構での電荷の付与および機械の省スペース化が可能になる。
【００４３】
請求項１２の発明は、電荷付与部材としてコロナチャージャを用いることで簡略な機構での電荷の付与が可能になる。
【００４４】
請求項１３の発明は、レジストローラを電荷付与部材と兼ねることで部品の共通化による構成の簡略化が可能になる。
【００４５】
請求項１４の発明は、像担持体として中間転写体を備えることで中間転写体上で色重ねを行なったカラー画像に関しても転写チリ発生を抑止した画像を得ることができる。
【００４６】
請求項１５の発明は、中間転写体裏面に第１の電圧印加手段と第２の電圧印加手段を備えることでプレ転写および放電による画像劣化を抑制するための電界をニップ上流側および下流側についてそれぞれ形成することができる。
【００４７】
請求項１６の発明は、中間転写ベルトを用いた構成の場合に懸架ローラを第１および第２のバイアスローラとすることで部品の共通化による構成の簡略化が可能となる。
【００４８】
請求項１７の発明は、バイアス印加部材としてブラシを用いることで均一なニップ圧力が得られ、バイアスのむらを軽減することが可能となる。
【００４９】
請求項１８の発明は、バイアス印加部材としてブレードを用いることで簡略な機構でのバイアスの印加および機械の省スペース化が可能になる。
【００５０】
請求項１９の発明は、バイアス印加部材としてローラ、ブラシおよびブレードを組み合わせて用いることで機械のレイアウトに自由度が生じる。
【図面の簡単な説明】
【図１】この発明の一実施の形態を示す画像形成装置の一例の概略構成図である。
【図２】同上の画像形成装置に適用される転写部の概略図である。
【図３】転写材の表面電位と像担持体の表面電位の推移を示す模式図である。
【図４】転写部の別の例を示す概略図である。
【図５】転写部の別の例を示す概略図である。
【図６】転写部の別の例を示す概略図である。
【図７】転写部の別の例を示す概略図である。
【図８】転写部の別の例を示す概略図である。
【符号の説明】
１１　像担持体（感光体あるいは中間転写体）
１２　転写ベルト
１３　第１のバイアスローラ
１４　第２のバイアスローラ
１５　転写材
２１　像担持体（中間転写体）
２２　転写ベルト
２３　第１のバイアスローラ
２４　第２のバイアスローラ
３１　像担持体（中間転写ベルト）
３３　第１のバイアスローラ
３４　第２のバイアスローラ
３５　紙転写ローラ
４３，４４　ブレード
４６　バイアス印加部材
５１　中間転写体
５３　コロナチャージャ
５５　紙転写ローラ
【図１】
2004062050.tif 000004
【図２】
2004062050.tif 000005
【図３】
2004062050.tif 000006
【図４】
2004062050.tif 000007
【図５】
2004062050.tif 000008
【図６】
2004062050.tif 000009
【図７】
2004062050.tif 000010
【図８】
2004062050.tif 000011